(57)【特許請求の範囲】
【請求項１】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の凹部を有し、前記凹部の各々が荷重支持点となる第１のショルダを画定し、前記第２のカップリング面が荷重支持点となる第２のショルダを画定する少なくとも１つの凹部を有する、第１および第２のカップリング部材、
前記カップリング部材の前記カップリング面の間に配置されるロッキング部材であって、前記ロッキング部材が第１および第２の位置の間で移動可能であり、前記第１の位置が、各カップリング部材のそれぞれのショルダに対する前記ロッキング部材の当接係合によって特徴づけられ、かつ、前記第２の位置が、前記カップリング部材の少なくとも１つに対する前記ロッキング部材の非当接係合によって特徴づけられる、ロッキング部材、
前記カップリング面の間における制御された移動のために搭載され、かつ、前記ロッキング部材の位置を制御するように操作可能である制御要素であって、前記制御要素が、少なくとも１つの開口であり、完全にそれを通って延在して、前記ロッキング部材が前記制御要素の制御位置における前記第１の位置へそれを通って延在することを可能にする少なくとも１つの開口を有する、制御要素、および
前記第１のカップリング面に向かう前記制御要素の移動を制限できるようし、かつ、前記オーバーランモード中に前記制御要素の前記第１のカップリング部材との接触を防止し、それによって前記カップリングアセンブリが解放されるときのスピンロスを低減するように動作する保持器機構、
を含み、
前記保持器機構が、前記第１のカップリング部材の内に形成された少なくとも１つの溝部、および前記制御要素と一体化して形成されてそれとともに移動する少なくとも１つの部品を含み、当該少なくとも１つの部品が、対応する溝部内にスライド可能に収容され保持されて、前記制御され制限された移動を可能にすることを特徴とするカップリングアセンブリ。
【請求項２】
請求項１に記載のカップリングアセンブリにおいて、前記少なくとも１つの部品が押下タブを含むことを特徴とするカップリングアセンブリ。
【請求項３】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の凹部を有し、前記凹部の各々が荷重支持点となる第１のショルダを画定し、前記第２のカップリング面が荷重支持点となる第２のショルダを画定する少なくとも１つの凹部を有する、第１および第２のカップリング部材、
前記カップリング部材の前記カップリング面の間に配置されるロッキング部材であって、前記ロッキング部材が第１および第２の位置の間で移動可能であり、前記第１の位置が、各カップリング部材のそれぞれのショルダに対する前記ロッキング部材の当接係合によって特徴づけられ、かつ、前記第２の位置が、前記カップリング部材の少なくとも１つに対する前記ロッキング部材の非当接係合によって特徴づけられる、ロッキング部材、
前記カップリング面の間における制御された移動のために搭載され、かつ、前記ロッキング部材の位置を制御するように操作可能である制御要素であって、前記制御要素が、少なくとも１つの開口であり、完全にそれを通って延在して、前記ロッキング部材が前記制御要素の制御位置における前記第１の位置へそれを通って延在することを可能にする少なくとも１つの開口を有する、制御要素、および
前記第１のカップリング面に向かう前記制御要素の移動を制限できるようにし、かつ、前記オーバーランモード中に前記制御要素の前記第１のカップリング部材との接触を防止し、それによって前記カップリングアセンブリが解放されるときのスピンロスを低減するように動作する保持器機構、
を含み、
前記保持器機構が、前記第２のカップリング部材および前記制御要素を一緒に保持する環状の保持部材を含むことを特徴とするカップリングアセンブリ。
【請求項４】
請求項３に記載のカップリングアセンブリにおいて、前記保持部材がスナップリングを含むことを特徴とするカップリングアセンブリ。
【請求項５】
請求項１または３に記載のカップリングアセンブリにおいて、前記カップリング部材のうちの一方がノッチプレートであり、前記カップリング部材の他方がポケットプレートであることを特徴とするカップリングアセンブリ。
【請求項６】
請求項１または３に記載のカップリングアセンブリにおいて、前記カップリングアセンブリが、制御可能式または選択可能式の一方向クラッチアセンブリであることを特徴とするアセンブリ。
【請求項７】
請求項１または３に記載のカップリングアセンブリにおいて、前記ロッキング部材がリバースストラットであることを特徴とするカップリングアセンブリ。
【請求項８】
請求項１または３に記載のカップリングアセンブリにおいて、前記制御要素が、前記軸のまわりで回転可能な制御プレートまたはセレクタープレートであることを特徴とするカップリングアセンブリ。
【請求項９】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の凹部を有し、前記凹部の各々が荷重支持点となる第１のショルダを画定し、前記第２のカップリング面が荷重支持点となる第２のショルダを画定する少なくとも１つの凹部を有する、第１および第２のカップリング部材、
前記カップリング部材の前記カップリング面の間に配置される少なくとも１つのロッキング部材であって、当該ロッキング部材が第１および第２の位置の間で移動可能であり、前記第１の位置が、各カップリング部材のそれぞれのショルダに対する前記ロッキング部材の当接係合によって特徴づけられ、かつ、前記第２の位置が、前記カップリング部材の少なくとも１つに対する前記ロッキング部材の非当接係合によって特徴づけられる、少なくとも１つのロッキング部材、
前記第２のカップリング部材によって所持されて、前記ロッキング部材を前記第１の位置へ付勢する少なくとも１つの付勢部材、
前記カップリング面の間における制御された移動のために搭載され、かつ、前記ロッキング部材の位置を制御するように操作可能である制御要素であって、前記第２の位置においては付勢された前記ロッキング部材がロッキング部材の力を前記制御要素に加え、前記制御要素が、完全に当該制御要素を貫通した少なくとも１つの開口であって、前記ロッキング部材が前記制御要素の制御位置における前記第１の位置へそれを通って延在することを可能にする少なくとも１つの開口を有する、制御要素、および
前記ロッキング部材の力を切り離し、かつ、前記オーバーランモード中に前記制御要素の前記第１のカップリング部材との接触を防止し、それによって前記カップリングアセンブリが解放されるときのスピンロスを低減するように動作する保持器機構であって、前記保持器機構が、前記第１のカップリング部材の内に形成された少なくとも１つの溝部、および前記制御要素と一体化して形成されてそれとともに移動する少なくとも１つの部品を含み、当該少なくとも１つの部品が、対応する溝部内にスライド可能に収容され保持されて、前記制御された移動を可能にする保持器機構、
を含むことを特徴とするカップリングアセンブリ。
【請求項１０】
請求項９に記載のカップリングアセンブリにおいて、前記少なくとも１つの部品が押下タブを含むことを特徴とするカップリングアセンブリ。
【請求項１１】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の凹部を有し、前記凹部の各々が荷重支持点となる第１のショルダを画定し、前記第２のカップリング面が荷重支持点となる第２のショルダを画定する少なくとも１つの凹部を有する、第１および第２のカップリング部材、
前記カップリング部材の前記カップリング面の間に配置される少なくとも１つのロッキング部材であって、当該ロッキング部材が第１および第２の位置の間で移動可能であり、前記第１の位置が、各カップリング部材のそれぞれのショルダに対するロッキング部材の当接係合によって特徴づけられ、かつ、前記第２の位置が、前記カップリング部材の少なくとも１つに対する前記ロッキング部材の非当接係合によって特徴づけられる、少なくとも１つのロッキング部材、
前記第２のカップリング部材によって所持されて、前記ロッキング部材を前記第１の位置へ付勢する少なくとも１つの付勢部材、
前記カップリング面の間における制御された移動のために搭載され、かつ、前記ロッキング部材の位置を制御するように操作可能である制御要素であって、前記第２の位置においては付勢された前記ロッキング部材がロッキング部材の力を前記制御要素に加え、前記制御要素が、完全に当該制御要素を貫通した少なくとも１つの開口であって、前記ロッキング部材が前記制御要素の制御位置における前記第１の位置へそれを通って延在することを可能にする少なくとも１つの開口をを有する、制御要素および
前記ロッキング部材の力を切り離し、かつ、前記オーバーランモード中に前記制御要素の前記第１のカップリング部材との接触を防止し、それによって前記カップリングアセンブリが解放されるときのスピンロスを低減するように動作する保持器機構であって、前記第２のカップリング部材および前記制御要素を一緒に保持する環状のスナップリングを含む保持器機構、
を含むことを特徴とするカップリングアセンブリ。
【請求項１２】
請求項９または１１に記載のカップリングアセンブリにおいて、前記付勢部材が付勢スプリングを含むことを特徴とするカップリングアセンブリ。
【請求項１３】
請求項１２に記載のカップリングアセンブリにおいて、前記第２のカップリング面の前記凹部が、前記付勢スプリングを収容する内側凹部を含むことを特徴とするカップリングアセンブリ。
【請求項１４】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の第１の凹部を有し、前記第１の凹部の各々が荷重支持点となる第１のショルダを画定し、前記第２のカップリング面が複数の第２の凹部を有し、前記第２の凹部の各々が荷重支持点となる第２のショルダを画定する、第１および第２のカップリング部材、
前記カップリング部材の前記カップリング面の間に配置される複数のロッキング部材であって、前記ロッキング部材の各々が第１および第２の位置の間で移動可能であり、前記第１の位置が、各カップリング部材のそれぞれのショルダに対するロッキング部材の当接係合によって特徴づけられ、かつ、前記第２の位置が、前記カップリング部材の少なくとも１つに対する前記ロッキング部材の非当接係合によって特徴づけられる、ロッキング部材、
前記カップリング面の間における制御された移動のために搭載され、かつ、前記ロッキング部材の位置を制御するように操作可能である制御要素であって、前記制御要素が、複数の開口であり、完全にそれを通って延在して、前記ロッキング部材の各々が前記制御要素の制御位置におけるそのそれぞれの第１の位置へそれを通って延在することを可能にする複数の開口を有する、制御要素、および
前記第１のカップリング面に向かう前記制御要素の移動を制限できるようにし、かつ、前記オーバーランモード中に前記制御要素の前記第１のカップリング部材との接触を防止し、それによって前記カップリングアセンブリが解放されるときのスピンロスを低減するように動作する保持器機構、
を含み、
前記保持器機構が、前記第１のカップリング部材の内に形成された少なくとも１つの溝部、および前記制御要素と一体化して形成されてそれとともに移動する少なくとも１つの部品を含み、当該少なくとも１つの部品が、対応する溝部内にスライド可能に収容され保持されて、前記制御され制限された移動を可能にすることを特徴とするカップリングアセンブリ。
【請求項１５】
請求項１４に記載のカップリングアセンブリにおいて、前記少なくとも１つの部品が押下タブを含むことを特徴とするカップリングアセンブリ。
【請求項１６】
オーバーランモードを有する制御可能式または選択可能式のカップリングアセンブリであって、前記カップリングアセンブリが、
互いに近接した間隔で対置される第１および第２のカップリング面をそれぞれ含む第１および第２のカップリング部材であって、前記部材の少なくとも１つが、軸のまわりの回転用に搭載され、前記第１のカップリング面が複数の第１の凹部を有し、前記第１の凹部の各々が荷重支持点となる第１のショルダを画定し、前記第２のカップリング面が複数の第２の凹部を有し、前記第２の凹部の各々が荷重支持点となる第２のショルダを画定する、第１および第２のカップリング部材、
前記カップリング部材の前記カップリング面の間に配置される複数のロッキング部材であって、前記ロッキング部材の各々が第１および第２の位置の間で移動可能であり、前記第１の位置が、各カップリング部材のそれぞれのショルダに対するロッキング部材の当接係合によって特徴づけられ、かつ、前記第２の位置が、前記カップリング部材の少なくとも１つに対する前記ロッキング部材の非当接係合によって特徴づけられる、ロッキング部材、
前記カップリング面の間における制御された移動のために搭載され、かつ、前記ロッキング部材の位置を制御するように操作可能である制御要素であって、前記制御要素が、複数の開口であり、完全にそれを通って延在して、前記ロッキング部材の各々が前記制御要素の制御位置におけるそのそれぞれの第１の位置へそれを通って延在することを可能にする複数の開口を有する、制御要素、および
前記第１のカップリング面に向かう前記制御要素の移動を制限できるようにし、かつ、前記オーバーランモード中に前記制御要素の前記第１のカップリング部材との接触を防止し、それによって前記カップリングアセンブリが解放されるときのスピンロスを低減するように動作する保持器機構、
を含み、
前記保持器機構が、前記第２のカップリング部材および前記制御要素を一緒に保持する環状の保持部材を含むことを特徴とするカップリングアセンブリ。
【請求項１７】
請求項１６に記載のカップリングアセンブリにおいて、前記保持部材がスナップリングを含むことを特徴とするカップリングアセンブリ。
【請求項１８】
請求項１４または１６に記載のカップリングアセンブリにおいて、前記カップリング面が環状のカップリング面であることを特徴とするカップリングアセンブリ。
【請求項１９】
請求項１８に記載のカップリングアセンブリにおいて、前記環状のカップリング面が前記軸に沿って軸方向に面するために向けられ、かつ、前記保持器機構が、前記制御要素の軸方向移動を制限可能にするように動作することを特徴とするカップリングアセンブリ。
【発明の詳細な説明】
【技術分野】
【０００１】
関連出願の相互参照
本出願は、２０１３年１月１０日に出願の米国仮特許出願第６１／７５０，８７７号明細書の利益を主張する。
【背景技術】
【０００２】
本発明は、一般に、制御可能式または選択可能式のカップリングアセンブリの分野に関し、さらに詳細には、保持された制御要素を有する、制御可能式または選択可能式のカップリングアセンブリに関する。
【０００３】
典型的な一方向クラッチ（ｏｎｅ−ｗａｙ  ｃｌｕｔｃｈ、すなわちＯＷＣ）は、第１のカップリング部材、第２のカップリング部材、および２つのカップリング部材の対向する表面間にあるロッキング部材の第１のセットを含む。一方向クラッチは、１つの方向においてロックし、かつ反対方向において自由回転を許容するように設計されている。車両の自動変速装置において多くの場合使用される一方向クラッチには次の２つの種類があり、
一方向クラッチの内レースと外レースとの間にスプリング搭載式ローラーを含むローラー型（いくつかの応用ではローラー型はスプリングなしでも使用される）、および、
一方向クラッチの内レースと外レースとの間に位置する、非対称的に形成されたくさびを含むスプラグ型
である。
【０００４】
一方向クラッチは、通常はエンジンブレーキを可能にするというよりはむしろ、エンジンブレーキ中にオーバーランするものである。同一の変速機ノードに摩擦パックがあるのはこの理由のためである。選択可能式の動的なクラッチは、このオーバーラニング状態を防止し、エンジンブレーキを可能にするために使用することができる。
【０００５】
制御可能式の、または選択可能式の一方向クラッチ（すなわちＯＷＣ）は従来の一方向クラッチ設計からの新発展である。選択可能式ＯＷＣは、スライド式プレートと組み合わせた、ストラットまたはロッキング部材の第２のセットを多くの場合追加する。スライド式プレートを加えたロッキング部材の追加のセットはＯＷＣに多数の機能を追加する。設計のニーズに応じて、制御可能式ＯＷＣは、一方向または両方向に、回転または静止しているシャフト間での機械的な接続を作り出すことができる。また設計に応じて、ＯＷＣは、オーバーラニングが一方向または両方向に可能である。制御可能式ＯＷＣは外部から制御される選択または作動の機構を含む。この選択機構の動作は、異なる動作モードに対応する２つ以上の位置の間にあり得る。
【０００６】
米国特許第５，９２７，４５５号明細書は双方向オーバーラニング爪型クラッチを開示している。米国特許第６，２４４，９６５号明細書はトルクの伝達のための平面オーバーラニングカップリングを開示している。米国特許第６，２９０，０４４号明細書は自動変速装置で使用される選択可能式一方向クラッチアセンブリを開示している。米国特許第７，２５８，２１４号明細書はオーバーラニングカップリングアセンブリを開示している。米国特許第７，３４４，０１０号明細書はオーバーラニングカップリングアセンブリを開示している。米国特許第７，４８４，６０５号明細書はオーバーラニング半径方向カップリングアセンブリまたはクラッチを開示している。
【０００７】
他の関連する米国特許文献には、米国特許出願公開第２０１２／０１４５５０６号、第２０１１／０１９２６９７号、第２０１１／０１８３８０６号、第２０１０／０２５２３８４号、第２０１０／０２３０２２６号、第２０１０／０２００３５８号、第２００９／０１９４３８１号、第２００８／０２２３６８１号、第２００８／０１６９１６６号、第２００８／０１８５２５３号の各号明細書、ならびに、以下の米国特許第８，０７９，４５３号、第７，９９２，６９５号、第８，０５１，９５９号、第７，７４３，６７８号、および第７，４９１，１５１号の各明細書が含まれる。
【０００８】
本出願においては、用語「カップリング」は、プレートの一方が変速機のトルク伝達要素に駆動可能に接続され、かつ、他方のプレートが別のトルク伝達要素に駆動可能に接続され、または、変速機ハウジングに対して繋ぎ止められ静止状態で保持される、クラッチまたはブレーキを含むと解釈されるべきである。用語「カップリング」、「クラッチ」および「ブレーキ」は、交換可能に使用されてもよい。
【０００９】
過去数年にわたって伝達効率がますますより重要になってきたため、多くの変速機メーカーがオーバーラン状態の間に一方向クラッチをスピンするために要するトルクの量（すなわちスピンロス）に関して規格を作り始めた。
【００１０】
そのようなスピンロスまたはドラグトルクの１つの発生源は、セレクタープレートがスプリング付勢されたリバースストラットによってノッチプレートと接触するように付勢されるときである。
【発明の概要】
【００１１】
本発明の少なくとも１つの実施形態の目的は、オーバーランモードおよび保持された制御要素を有し、スピンロス（すなわちドラグトルク）が低減され、それによって伝達効率の向上をもたらす制御可能式または選択可能式のカップリングアセンブリを提供することである。
【００１２】
本発明の少なくとも１つの実施形態における上記の目的および他の目的を達成するにあたり、オーバーランモードを有する、制御可能式または選択可能式のカップリングアセンブリが提供される。このアセンブリは、互いに近接した間隔で対置される第１および第２のカップリング面をそれぞれ有する第１および第２のカップリング部材を含む。部材の少なくとも１つは、軸のまわりの回転用に搭載される。第１のカップリング面は複数の凹部を有する。凹部の各々は荷重支持点となる第１のショルダを画定する。第２のカップリング面は荷重支持点となる第２のショルダを画定する少なくとも１つの凹部を有し、ロッキング部材がカップリング部材のカップリング面の間に配置される。ロッキング部材は第１および第２の位置の間で移動可能である。第１の位置は、各カップリング部材のそれぞれのショルダに対するロッキング部材の当接係合によって特徴づけられ、第２の位置は、カップリング部材の少なくとも１つに対するロッキング部材の非当接係合によって特徴づけられる。制御要素が、カップリング面の間の制御された動作のために搭載され、ロッキング部材の位置を制御するように操作可能である。この制御要素は、少なくとも１つの開口であり、完全にそれを通って延在して、ロッキング部材が制御要素の制御位置における第１の位置へそれを通って延在することを可能にする少なくとも１つの開口を有する。保持器機構が、第１のカップリング面に向かっての制御要素の移動の制限を可能にし、また、オーバーランモード中に制御要素の第１のカップリング部材との接触を防止し、それによってアセンブリが解放されるときのスピンロスを低減するように動作する。
【００１３】
この機構は、第１のカップリング部材の内に形成された少なくとも１つの溝部、および制御要素と一体化して形成されてそれとともに移動する少なくとも１つの部品を含んでもよい。各部品は、そのそれぞれの溝部内にスライド可能に収容され保持されて、制御され制限された移動を可能にする。
【００１４】
各部品は押下タブを含んでもよい。
【００１５】
機構は、第２のカップリング部材および制御要素を一緒に保持する環状の保持部材を含んでもよい。
【００１６】
保持部材はスナップリングを含んでもよい。
【００１７】
カップリング部材のうちの一方はノッチプレートであってもよく、カップリング部材の他方はポケットプレートであってもよい。
【００１８】
アセンブリは制御可能式または選択可能式の一方向クラッチアセンブリであってもよい。
【００１９】
ロッキング部材はリバースストラットであってもよい。
【００２０】
制御要素は、軸のまわりで回転可能な制御プレートまたはセレクタープレートであってもよい。
【００２１】
さらに、本発明の少なくとも１つの実施形態おける上記の目的および他の目的を達成するにあたり、オーバーランモードを有する、制御可能式または選択可能式のカップリングアセンブリが提供される。このアセンブリは、互いに近接した間隔で対置される第１および第２のカップリング面をそれぞれ含む第１および第２のカップリング部材を含む。部材の少なくとも１つは、軸のまわりの回転用に搭載される。第１のカップリング面は複数の凹部を有する。凹部の各々は荷重支持点となる第１のショルダを画定する。第２のカップリング面は荷重支持点となる第２のショルダを画定する少なくとも１つの凹部を有する。少なくとも１つのロッキング部材がカップリング部材のカップリング面の間に配置される。各ロッキング部材は第１および第２の位置の間で移動可能である。第１の位置は、各カップリング部材のそれぞれのショルダに対するロッキング部材の当接係合によって特徴づけられ、第２の位置は、カップリング部材の少なくとも１つに対するロッキング部材の非当接係合によって特徴づけられる。少なくとも１つの付勢部材が第２のカップリング部材によって所持されて、そのそれぞれのロッキング部材を第１の位置へ付勢する。制御要素が、カップリング面の間の制御された動作のために搭載され、各ロッキング部材の位置を制御するように操作可能である。この制御要素は、少なくとも１つの開口であり、完全にそれを通って延在して、そのそれぞれのロッキング部材が制御要素の制御位置における第１の位置へそれを通って延在することを可能にする少なくとも１つの開口を有する。付勢された各ロッキング部材は、ロッキング部材の力を制御要素に加える。保持器機構が、各ロッキング部材の力を切り離し、またオーバーランモード中に制御要素の第１のカップリング部材との接触を防止し、それによってアセンブリが解放されるときのスピンロスを低減するように動作する。
【００２２】
この機構は、第１のカップリング部材の内に形成された少なくとも１つの溝部、および制御要素と一体化して形成されてそれとともに移動する少なくとも１つの部品を含んでもよい。各部品は、そのそれぞれの溝部内にスライド可能に収容され保持されて、制御された移動を可能にする。
【００２３】
各部品は押下タブを含んでもよい。
【００２４】
機構は、第２のカップリング部材および制御要素を一緒に保持する環状の保持部材を含んでもよい。
【００２５】
保持部材はスナップリングを含んでもよい。
【００２６】
各付勢部材は付勢スプリングを含んでもよい。
【００２７】
第２のカップリング面の各凹部は、そのそれぞれの付勢スプリングを収容する内側凹部を含んでもよい。
【００２８】
さらに、本発明の少なくとも１つの実施形態における上記の目的および他の目的を達成するにあたり、オーバーランモードを有する、制御可能式または選択可能式のカップリングアセンブリが提供される。このアセンブリは、互いに近接した間隔で対置される第１および第２のカップリング面をそれぞれ含む第１および第２のカップリング部材を含む。部材の少なくとも１つは、軸のまわりの回転用に搭載される。第１のカップリング面は複数の第１の凹部を有する。第１の凹部の各々は荷重支持点となる第１のショルダを画定する。第２のカップリング面は複数の第２の凹部を有する。第２の凹部の各々は荷重支持点となる第２のショルダを画定する。複数のロッキング部材がカップリング部材のカップリング面の間に配置される。ロッキング部材の各々は第１および第２の位置の間で移動可能である。第１の位置は、各カップリング部材のそれぞれのショルダに対するロッキング部材の当接係合によって特徴づけられ、第２の位置は、カップリング部材の少なくとも１つに対するロッキング部材の非当接係合によって特徴づけられる。制御要素が、カップリング面の間の制御された動作のために搭載され、ロッキング部材の位置を制御するように操作可能である。この制御要素は、複数の開口であり、完全にそれを通って延在して、ロッキング部材の各々が制御要素の制御位置におけるそのそれぞれの第１の位置へそれを通って延在することを可能にする複数の開口を有する。保持器機構が、第１のカップリング面に向かっての制御要素の移動の制限を可能にし、また、オーバーランモード中に制御要素の第１のカップリング部材との接触を防止し、それによってアセンブリが解放されるときのスピンロスを低減するように動作する。
【００２９】
この機構は、第１のカップリング部材の内に形成された少なくとも１つの溝部、および制御要素と一体化して形成されてそれとともに移動する少なくとも１つの部品を含んでもよい。各部品は、そのそれぞれの溝部内にスライド可能に収容され保持されて、制御され制限された移動を可能にする。
【００３０】
各部品は押下タブを含んでもよい。
【００３１】
機構は、第２のカップリング部材および制御要素を一緒に保持する環状の保持部材を含んでもよい。
【００３２】
保持部材はスナップリングを含んでもよい。
【００３３】
カップリング面は環状のカップリング面であってもよい。
【００３４】
環状のカップリング面は、軸に沿って軸方向に面するように向けられてもよく、保持器機構は制御要素の軸方向移動を制限できるように動作する。
【００３５】
例示的な実施形態をこれまで記述してきたが、これらの実施形態が本発明のあらゆる可能な形態を記述しているということを意図するものではない。むしろ、本明細書で使用される用語は限定ではなく記述の用語であり、様々な変更が、本発明の精神および範囲から逸脱することなく行なわれてもよいことを理解されたい。さらに、様々な実践する実施形態の特徴は、本発明のさらなる実施形態を形成するために組み合わせられてもよい。
【図面の簡単な説明】
【００３６】
【図１】図１は、半径方向に薄く、軸方向に厚いスナップリングの形態の保持器機構によって保持されているタブ付き制御要素（セレクタープレート）の、部分破断の拡大斜視概略図である。
【図２】図２は、多数のロッキング部材（リバースストラット）を有するカップリング部材（すなわちポケットプレート）の斜視概略図であり、セレクタープレートは半径方向に厚く、軸方向に薄いスナップリングによってセレクタープレートの押下タブを必要とせずに保持されている。
【図３】図３は、図１の図に類似で、セレクタープレートは保持器機構（すなわち、ポケットプレートを含むカップリング部材の軸方向に延在する壁にある溝部）によって、スナップリングまたは軸方向タブを必要とせずに押下されている。
【図４】図４は、図１および図３の図に類似で、セレクタープレートは、カップリング部材の軸方向に延在する壁にある軸方向に延在する溝部へ挿入され、次いで、円周方向に延在する溝部の中で図示された位置へ回転されてセレクタープレートを保持する軸方向押下タブを有する。
【図５】図５は、図４の図に類似で、保持器機構のタブが、図４の軸方向に延在する溝部の頂上の近くに位置している図である。制御要素が保持器機構を介してポケットプレートを含むカップリング部材にどのように組み付けられるかを示す。
【図６】図６は、図５の図に類似で、タブが軸方向に延在する溝部の中に位置している図である。制御要素が保持器機構を介してポケットプレートを含むカップリング部材にどのように組み付けられるかを示す。
【図７】図７は、図５および図６の図に類似で、タブが、軸方向に延在する溝部の底の近くに位置している図である。制御要素が保持器機構を介してポケットプレートを含むカップリング部材にどのように組み付けられるかを示す。
【図８】図８は、図５〜図７の図に類似で、ここではタブが、円周方向に延在する溝部および軸方向に延在する溝部の両方の中に位置している図である。制御要素が保持器機構を介してポケットプレートを含むカップリング部材にどのように組み付けられるかを示す。
【図９】図９は、図５〜図８の図に類似で、ここではタブが、図４の位置へのタブの移動に先立って円周方向に延在する溝部の中に完全に位置している図である。制御要素が保持器機構を介してポケットプレートを含むカップリング部材にどのように組み付けられるかを示す。
【図１０】図１０は、リバースストラットがスプリングによって係合位置へ付勢されている、ポケットプレート、ノッチプレートおよびセレクタープレートの、部分破断で断面での側面図である。
【発明を実施するための形態】
【００３７】
要求に応じ、本発明の詳細な実施形態を本明細書に開示するが、開示された実施形態は、様々な、代替の形態で実施されてもよい本発明の単に例示であることを理解されたい。図は必ずしも一定の縮尺でなく、いくつかの特徴は特別の構成要素の詳細を示すために誇張され、または最小限にされることがある。したがって、本明細書に開示された特定の構造および機能的な詳細は限定するものと解釈するべきでなく、様々に本発明を利用する当業者に教示するための単に代表的な基礎として解釈するべきである。
【００３８】
一般に、本発明の少なくとも１つの実施形態はカップリングアセンブリを含む。カップリングアセンブリは、図１０で全体として１０で示される、制御可能式または選択可能式の一方向クラッチアセンブリを好適には含む。アセンブリ１０は、第１および第２カップリング部材を、好適にはそれぞれ全体として１２で示されるノッチプレート、および全体として１４で示されるポケットプレートの形態で含む。プレート１２および１４は、それぞれ互いに近接した間隔で対置された第１および第２のカップリング面１６および１８を含む。プレート１２および１４の少なくとも１つは、軸を回る方向１９の回転のために搭載される。第１のカップリング面１６は複数の凹部２０を有する。凹部２０の各々は荷重支持点となる第１のショルダ２２を画定する。第２のカップリング面１８は、荷重支持点となる第２のショルダ２６を画定する少なくとも１つの凹部２４を有する。
【００３９】
全体として２８で示される、リバースストラットの形態をしているロッキング部材は、カップリング部材１２および１４のそれぞれのカップリング面１６および１８の間に配置される。ストラット２８は第１および第２の位置の間で移動可能である。第１の位置（図１０で示される）は、ストラット２８の、ショルダ２２および２６との当接係合により特徴づけられる。
【００４０】
付勢コイルスプリング３０などの少なくとも１つの付勢部材が、第２のカップリング部材１４によって凹部２４の内側凹部３２内に所持されて、そのそれぞれのストラット２８を図１０の第１の位置へ付勢する。
【００４１】
全体として３４で示される、セレクターまたはスライド式プレートの形態をしている制御要素が、ロッキング部材またはストラット２８の位置を制御するように操作可能である。制御要素またはプレート３４は、少なくとも１つの開口３８であり、この開口は、完全にそれを通って延在して、そのそれぞれのロッキング部材２８が制御要素２８の制御位置における第１の位置（図１０）へそれを通って延在することを可能にする少なくとも１つの開口３８を有する。各ロッキング部材２８は、ロッキング部材の力をコイルスプリング３０の付勢により制御要素３４に加える。
【００４２】
図１〜図９は、本発明の実施形態に従って構築された、平面またはオーバーラニングのカップリングアセンブリまたはクラッチアセンブリの、全体として４０で示されるポケット部材またはポケットプレートを含むカップリング部材を示す。カップリング部材は、ポケットプレート４０と一体化して形成され、全体として４２で示される環状の壁を含む。
【００４３】
カップリング部材またはノッチプレート（図１〜図９に示さないが、図１０のノッチプレート１２に概して類似している）は、ポケットプレート４０内に好適には入れ子状に重ね入れられる。ノッチプレートは、ノッチプレートの上に形成された内歯スプラインを介して、一部品（図示せず）に接続されることになっており、この内歯スプラインは、その部品の上のスプラインを係合する。ポケットプレート４０は、図２および図４〜図９に図示されるような、外歯スプラインまたはロッキング部材４４を備えてもよい。
【００４４】
アクチュエーター（図示せず）は、図１〜図９で全体として５０で示されるセレクターまたは制御の、要素またはプレートに駆動可能に接続されてもよく、それによってポケットプレートおよびノッチプレートの少なくとも１つがそのまわりを回転可能である中心軸に対して制御プレート５０が角度調節されるようにする。制御プレート５０は、米国特許第７，３４４，０１０号明細書で概して図示されるように、ポケットプレートおよびノッチプレートに対して限定された角度の回転のためにポケットプレートおよびノッチプレートの間に配置され、また以下に記述されるように、完全にそれを通って延在する複数の開口５２を有する。
【００４５】
制御要素または制御プレート５０は、通常は完全な環状の部品ではなく、そのためにその部品を製造するのに必要とする材料はより少ない。したがって、プレス加工組立作業中にノッチプレート、ポケットプレートおよびコントロールプレートは一緒に、より近接して入れ子状に重ね入れることができる。さらに制御プレート５０は完全な環状ではなくてもよいため、クラッチへ取り付けるのがより容易である。
【００４６】
図１０の実施形態中にあるように、ノッチプレートは、ポケットプレート４０に対して中心軸のまわりの１つの角度方向にフリーホイール回転をすることができる。この１方向のフリーホイール回転運動はある動作モードで達成され、それは、アクチュエーターが、ポケットプレート４０に対して制御プレート５０の角度位置を（フォークを介してなどで）中心軸のまわりで、そのリバース位置から制御プレート５０を角度的にいくらかの角度（１０°など）動かすことによって得られるフォワード位置へ調節するときである。
【００４７】
ノッチプレートは、内側面または基準面を通常は有し、その面内に１つまたは複数のノッチまたは凹部が形成され、かつ共通壁により分離されている。ノッチプレートはポケットプレート４０内へ収容されるように適合させる。
【００４８】
ポケットプレート４０は、凹部４８がプレート４０の対応する爪保持部分に形成されている内側表面または内側面４６を有する。プレート４０の内側表面または内側面４６の上に位置するのは制御プレート５０である。
【００４９】
図１〜図９の実施形態において、全体として６０で示される複数のリバースストラットまたは爪であって、ポケットプレート４０の中のそのそれぞれの凹部４８の内に収容され保持される複数のリバースストラットまたは爪があるのが好適である。複数の爪は、中心軸のまわりのフォワード方向へトルクを伝達するためのフォワード爪であってもよい。リバースストラット６０は、ポケットプレートおよびノッチプレート間の、中心軸のまわりの「リバース」方向の回転を防止する。
【００５０】
制御プレート５０がその「フォワード」位置に位置している場合、それは、スプリング付勢された爪またはストラット６０の「リバース」セットを覆う。スプリングベースのストラット６０は、制御プレート１２に、制御プレート５０をノッチプレートへ付勢する力を作用させる。制御プレート５０がその「リバース」位置に位置している場合、それはストラット６０の「リバース」セットを覆わない。覆われない場合、「リバース」ストラット６０は、ポケットプレート４０に対して徐々に動くことが可能になる。図１〜図９に示すように、制御プレート５０は開口５２を備えている。これらは、中心軸のまわりで角度的に間隔を置いて配置される。制御プレート５０がその「リバース」位置において適切に位置する場合、１つの開口５２は、各凹部４８のちょうど上方に配置される。ノッチプレート内の開口５２およびノッチは、リバース爪６０の部分が、ノッチプレートの爪収容部分のノッチに入り、さらにノッチのショルダを係合して、ポケットプレート４０とノッチプレートとの間の回転を防止するリバース爪６０とノッチプレートとの間のロッキング動作を確立することができるような大きさに作られる。
【００５１】
制御プレート５０がリバース位置から異なる（すなわちフォワード）角度位置に回転する場合、リバース爪６０は、下方へ、それらの凹部４８の中へ回転し、さらに、制御プレート５０によって少なくとも部分的に覆われ枢軸的に上方へ移動することを妨げられることになる。制御プレート５０がこのように位置する場合、ノッチプレートは、ポケットプレート４０に対して中心軸のまわりでフリーホイール回転をすることができる。しかしながら前述のように、スプリング付勢されたストラット６０は、制御プレート５０にスプリング力を作用させる。
【００５２】
カップリングアセンブリは、制御プレート５０に作用させられたロッキング部材の力を切り離し、かつオーバーランモード中に制御要素またはプレート５０のノッチプレートとの接触を防止し、それによってアセンブリが解放されるときのスピンロスを低減するように動作する保持器機構も一般に含む。一般に、保持器機構は、リバースストラットのスプリング力を切り離し、かつセレクタープレート５０がノッチプレートと接触するのを防止するために、リング、溝部、リングと溝部とのコンビネーションの形態をとってもよい。
【００５３】
図４〜図９の実施形態において、保持器機構は、壁４２の内部表面に形成された、円周方向に延在する溝部６２などの少なくとも１つの溝部、および、制御要素５０と一体化して形成されてそれとともに移動する、少なくとも１つの部品または押下タブ６４を含む。各タブ６４は、そのそれぞれの溝部内にスライド可能に収容され保持されて、制御された移動を可能にする。
【００５４】
ポケットプレート４０を含むカップリング部材および一体化して形成された壁４２への、制御要素５０の組み付けは、図４〜図９に示される。軸方向に延在する溝部６１は、制御要素の回転に先立って、制御要素５０を面４６にじかに隣接する位置へ挿入することを可能にする。
【００５５】
図１は、１つまたは複数の一体化して形成されたタブ６８をセレクタープレート５０へ押下して、この保持する機能を実行する、半径方向に薄く、軸方向に厚いスナップリング６６の形態の保持器機構を示す。
【００５６】
図２は、セレクタープレート５０の押下タブを必要とせずにこの保持する機能を実行する、半径方向に厚く、軸方向に薄いスナップリング７０の形態の保持器機構を示す。
【００５７】
図３は、スナップリングまたは軸方向タブを必要とせずに、壁４２の内部表面に形成された、円周方向に延在する溝部内に押下または保持されたセレクタープレート５０を示す。
【００５８】
本発明の異なる実施形態では、いかなる適切なストラットスプリングも使用することができるが、図１および図３に示すように、図１０のコイルスプリング３０などのコイルスプリングは、凹部４８に形成された内側凹部４９内のリバース爪６０の各々の下に通常は配置される。
【００５９】
ノッチプレートが、ポケットプレート４０内に収容され、または、入れ子状に重ね入れられ、制御プレート５０をその間に備えている場合、ポケットプレート４０およびノッチプレートは、保持器リングまたはスナップリング（図示せず）によって通常は軸方向にしっかりと保持される。このスナップリングは、カップリング部材の壁４２に形成された溝部５８に収容され保持される。
【００６０】
リバースストラット６０は、球状化焼なましのＳＡＥ１０６５鋼の、常温引き伸ばしまたは冷延の素線などの、薄く冷間成形の１本の素材から形成されてもよい。各ストラット６０は、最大０．０１５インチなどの端／角の適切な面取りを達成するためにタンブリング研磨され、１５５０°Ｆで焼き入れされ、油急冷され、５３  Ｒｏｃｋｗｅｌｌ−Ｃの最小の硬度まで３５０°Ｆで焼き戻しをされてもよい。
【００６１】
上に開示したカップリングアセンブリの代わりに、半径方向のラチェットを有する第２の実施形態のカップリングアセンブリも提供されてもよいことは理解されたい。
【００６２】
例示の実施形態をこれまで記述してきたが、これらの実施形態が本発明のあらゆる可能な形態を記述していることを意図するものではない。むしろ、本明細書で使用される用語は限定ではなく記述の用語であり、様々な変更が、本発明の精神および範囲から逸脱することなく行なわれてもよいことを理解されたい。さらに、様々な実践する実施形態の特徴は、本発明のさらなる実施形態を形成するために組み合わせられてもよい。
【図１】
0006416116.tif 000002
【図２】
0006416116.tif 000003
【図３】
0006416116.tif 000004
【図４】
0006416116.tif 000005
【図５】
0006416116.tif 000006
【図６】
0006416116.tif 000007
【図７】
0006416116.tif 000008
【図８】
0006416116.tif 000009
【図９】
0006416116.tif 000010
【図１０】
0006416116.tif 000011